(57)【要約】【課題】親機と子機とで状態に差が生じたとき、親機側からの通知によって子機の状態を規定する。【解決手段】外部回線と通信可能な親機１０と、親機１０と無線通信可能な子機３０とを備えた通信システム（コードレス電話装置）１であって、子機３０がオフフックされたとき、親機１０と子機３０との通信状態が異なる場合には、親機１０からの通知により子機３０の通信状態を親機１０の通信状態と一致させるように制御する。【選択図】図１
2015122570.tif 000002
【特許請求の範囲】
【請求項１】
外部回線と通信可能な親機と、前記親機と無線通信可能な子機とを備えた通信システムであって、
前記子機がオフフックされたとき、前記親機と前記子機との通信状態が異なる場合には、前記親機からの通知により前記子機の通信状態を前記親機の通信状態に一致させるように制御することを特徴とする通信システム。
【請求項２】
請求項１に記載の通信システムであって、
前記子機は、スタンバイ状態でオフフックされたことを前記親機に送信し、
前記親機は、前記子機からスタンバイ状態でオフフックされたことを受信したときに自機が着信中であった場合には、前記子機に回線接続を持続する命令を送信することを特徴とする通信システム。
【請求項３】
請求項１または請求項２に記載の通信システムであって、
前記子機は、着信状態でオフフックされたことを前記親機に送信し、
前記親機は、前記子機から着信状態でオフフックされたことを受信したときに自機がスタンバイ状態であった場合には、前記子機がスタンバイ状態となるように制御する命令を送信することを特徴とする通信システム。
【請求項４】
請求項１に記載の通信システムであって、
前記子機は、自機がオフフックされたことを前記親機に送信し、
前記親機は、前記子機からオフフックされたことを受信したとき、自機の通信状態を前記子機に送信し、
前記子機は、受信した前記親機の通信状態に基づいて自機の通信状態を規定することを特徴とする通信システム。
【請求項５】
請求項１に記載の通信システムであって、
前記子機は、オフフックされたとき、自機の通信状態とオフフックされたことを前記親機に送信し、
前記親機は、前記子機の通信状態とオフフックされたことを受信したとき、前記子機の通信状態と前記親機の通信状態とに基づき、前記子機に通信状態を規定する命令を送信することを特徴とする通信システム。
【請求項６】
請求項１に記載の通信システムであって、
前記子機は、オフフックされたことを前記親機に送信するとともに、無操作タイマーを起動してタイムアップすると前記親機に状態要求信号を送信し、
前記親機は、受信した前記状態要求信号に基づき、前記子機からオフフックされたことを受信したときに保存した自機の通信状態を前記子機に送信し、
前記子機は、受信した前記親機の通信状態に基づいて自機の通信状態を規定することを特徴とする通信システム。
【発明の詳細な説明】
【技術分野】
【０００１】
本発明は、外部回線と通信可能な親機と、親機と無線通信可能な子機とを備えた通信システムに係り、特に、子機が充電器から持ち上げられると通話モードに移行する構成とされたコードレス電話装置等の通信システムに関する。
【背景技術】
【０００２】
近年、操作の煩わしさを解消するため、充電状態にある子機を充電器から持ち上げるだけで回線を捕捉して通話モードとなるいわゆるクイック通話機能を備えたコードレス電話装置が開示されている（例えば、特許文献１参照）。
【０００３】
このようなコードレス電話装置では、例えば地震の場合や運搬中に荷物が子機に当った場合等に、子機が充電器から倒れて持ち上げられた状態と同じ状態になると、使用者の意思に関係なく子機が回線を捕捉して通話モードになるという問題があった。
【０００４】
この問題を解消するためには、充電器から子機が持ち上げられたとき、次の制御を実施すれば回避することが可能となる。
【０００５】
（制御Ａ）充電器から子機が持ち上げられたとき、子機がスタンバイ状態であれば、無操作タイマーを起動して一定時間（例えば、３０秒等）の計測を開始し、その所定時間以内にキー操作が無い場合には、例えば地震等で倒れたと判断して、自動的に通話モードからスタンバイ状態に戻る。
【０００６】
（制御Ｂ）充電器から子機が持ち上げられたとき、子機が着信状態であれば、無操作タイマーを起動しない（すなわち、所定時間のキー操作を監視しない）。
【０００７】
このような制御を行うものとして、例えば特許文献２，３等には、子機が充電器から持ち上げられてオフフックされたとき、親機の状態に関係なく、子機自体が着信状態かスタンバイ状態かを判断して、必要であれば無操作タイマーを起動する構成が開示されている。
【先行技術文献】
【特許文献】
【０００８】
【特許文献１】特開２００７−１２９３７４号公報
【特許文献２】特開平５−２２３８６号公報
【特許文献３】実開平１１−１１１号公報
【発明の概要】
【発明が解決しようとする課題】
【０００９】
ところで、子機は、親機から現在の状態を通知されて自機の状態を決定しているが、親機からの指示は無線を通じて行われるため、親機の状態が変化したとき、子機に到来するまで通知が遅れることがあり、親機と子機とで状態に差が生じる（状態が不一致となる）ことがあった。
【００１０】
図７は、親機の状態変化と子機の状態変化のタイミングを示している。
【００１１】
すなわち、親機が時刻ｔ１にスタンバイ状態から着信状態に立ち上がり、時刻ｔ２で着信状態からスタンバイ状態に再び復帰すると、子機では、親機からのスタンバイ状態から着信状態の立ち上がりの通知を受けて、時刻ｔ１１にスタンバイ状態から着信状態に立ち上がり、親機からの着信状態からスタンバイ状態への変化の通知を受けて、時刻ｔ１２に着信状態からスタンバイ状態に切り換わる。すなわち、親機と子機では、着信開始時において時刻ｔ１から時刻ｔ１１までのタイムラグｔａが発生し、着信終了時において時刻ｔ２から時刻ｔ１２までのタイムラグｔｂが発生する。
【００１２】
そして、親機と子機との状態に差があるとき（すなわち、タイムラグｔａ，ｔｂの間）に通話モードになった場合、着信開始時と着信終了時において以下の問題が発生する。
【００１３】
（問題１）着信開始時のタイムラグｔａ中（親機：着信状態／子機：スタンバイ状態）に子機がオフフックされると、本来であれば着信中なので上記（制御Ｂ）の動作を実施すべきであるが、子機はこの時点でまだスタンバイ状態であるため、上記（制御Ａ）の動作を実施することになる。従って、子機は一定時間後に自動的にスタンバイ状態に移行するため、通話中に勝手に通話を切断してしまうといった問題が発生する。
【００１４】
（問題２）着信終了時のタイムラグｔｂ中（親機：スタンバイ状態／子機：着信状態）に子機がオフフックされると、本来であればスタンバイ状態なので上記（制御Ａ）の動作を実施すべきであるが、子機はまだ着信中であるため、上記（制御Ｂ）の動作を実施することになる。従って、無操作タイマーは起動されず、子機は一定時間経過後もスタンバイ状態に移行しない。つまり、着信終了時のタイムラグｔｂ中に子機が不測にオフフックされ、使用者の意思に関係なく通話モードになった場合には、いつまでも通話中が続き、スタンバイ状態に戻らない。そのため、外線から着呼があった場合でも、通話中のためこれを受けることができないといった問題が発生する。
【００１５】
本発明はかかる問題点を解決すべく創案されたもので、その目的は、着信状態かスタンバイ状態かの判断は子機よりも回線制御を実施している親機の方が正確に把握している点に着目し、親機と子機とで状態に差が生じたとき、親機側からの通知によって子機の状態を規定することで上記不具合を解消した通信システムを提供することにある。
【課題を解決するための手段】
【００１６】
上記課題を解決するため、本発明の通信システムは、外部回線と通信可能な親機と、前記親機と無線通信可能な子機とを備えた通信システムであって、前記子機がオフフックされたとき、前記親機と前記子機との通信状態が異なる場合には、前記親機からの通知により前記子機の通信状態を前記親機の通信状態と一致させるように制御することを特徴としている。
【００１７】
この構成によると、親機と子機とで状態に差が生じた場合でも、親機からの通知によって子機の状態を規定できるので、通話モードを維持するのか、スタンバイ状態に移行するのかを正しく決定できる。
【００１８】
また、本発明の通信システムでは、前記子機は、スタンバイ状態でオフフックされたことを前記親機に送信し、前記親機は、前記子機からスタンバイ状態でオフフックされたことを受信したときに自機が着信中であった場合には、前記子機に回線接続を持続する命令を送信する構成としてもよい。
【００１９】
この構成によると、親機が着信中（リング音鳴動中）で、子機が着信状態になっていないスタンバイ状態のときに、子機がオフフック状態になった場合には、子機の無操作タイマーの起動を止めることができる。すなわち、この場合には、回線は切断されない。
【００２０】
また、本発明の通信システムでは、前記子機は、着信状態でオフフックされたことを前記親機に送信し、前記親機は、前記子機から着信状態でオフフックされたことを受信したときに自機がスタンバイ状態であった場合には、前記子機がスタンバイ状態となるように制御する命令を送信する構成としてもよい。
【００２１】
この構成によると、親機が回線を切断したスタンバイ状態で、子機が通話モードのとき（上記タイムラグｔｂ）に、子機がオフフック状態になった場合には、親機から子機に対してスタンバイ状態となるように制御する命令（例えば、子機の無操作タイマーを起動する命令）が送信される。従って、この場合には、無操作タイマーによる一定時間の計測後に回線を切断して、スタンバイ状態に移行する。
【００２２】
また、本発明の通信システムでは、前記子機は、自機がオフフックされたことを前記親機に送信し、前記親機は、前記子機からオフフックされたことを受信したとき、自機の通信状態を前記子機に送信し、前記子機は、受信した前記親機の通信状態に基づいて自機の通信状態を規定する構成としてもよい。
【００２３】
この構成によると、親機と子機とで状態に差が生じた場合に、親機の通信状態を子機に送信することで、子機は、親機からの通信状態に合わせて子機の通信状態を規定する。具体的には、親機の状態が着信状態である場合には子機も通話モードを維持し、親機の状態がスタンバイ状態である場合には、無操作タイマーを起動して、子機も一定時間後にスタンバイ状態に移行する。
【００２４】
また、本発明の通信システムでは、前記子機は、オフフックされたとき、自機の通信状態とオフフックされたことを前記親機に送信し、前記親機は、前記子機の通信状態とオフフックされたことを受信したとき、前記子機の通信状態と前記親機の通信状態とに基づき、前記子機に通信状態を規定する命令を送信する構成としてもよい。
【００２５】
この構成によると、親機の通信状態を子機の通信状態とを比較し、状態が一致しない場合（親機と子機とで状態に差が生じた場合）に親機の通信状態を子機に送信することで、子機は、これを通信状態を規定する命令として受け止め、親機の状態に合わせて子機の状態を規定する。具体的には、親機の状態が着信状態である場合には子機も通話モードを維持し、親機の状態がスタンバイ状態である場合には、無操作タイマーを起動して、子機も一定時間後にスタンバイ状態に移行する。
【００２６】
また、本発明の通信システムでは、前記子機は、オフフックされたことを前記親機に送信するとともに、無操作タイマーを起動してタイムアップすると前記親機に状態要求信号を送信し、前記親機は、受信した前記状態要求信号に基づき、前記子機からオフフックされたことを受信したときに保存した自機の通信状態を前記子機に送信し、前記子機は、受信した前記親機の通信状態に基づいて自機の通信状態を規定する構成としてもよい。
【００２７】
この構成によると、子機では、無操作タイマーのタイムアップ時に親機に対して状態を要求し、親機から送信されてきた通信状態に基づいて自機の通信状態を規定できる。具体的には、親機の状態が着信状態である場合には、無操作タイマーのタイムアップであっても子機は通話モードを維持し、親機の状態がスタンバイ状態である場合には、無操作タイマーがタイムアップしているので、直ぐにスタンバイ状態に移行する。
【発明の効果】
【００２８】
本発明は上記のように構成したので、親機と子機とで状態に差が生じた場合でも、親機からの通知によって子機の状態を規定できるので、子機側では、親機に合わせて着信状態を維持するのか、スタンバイ状態に移行するのかを的確に決定することができる。
【図面の簡単な説明】
【００２９】
【図１】本発明の通信システムをコードレス電話装置に適用した場合の全体構成図を示す機能ブロック図である。
【図２】親機と子機との通信状態を一致させる制御の実施の形態１を説明するための、親機と子機のそれぞれの流れを示すフローチャートである。
【図３】親機と子機との通信状態を一致させる制御の実施の形態２を説明するための、親機と子機のそれぞれの流れを示すフローチャートである。
【図４】親機と子機との通信状態を一致させる制御の実施の形態３を説明するための、親機と子機のそれぞれの流れを示すフローチャートである。
【図５】親機と子機との通信状態を一致させる制御の実施の形態４を説明するための、親機と子機のそれぞれの流れを示すフローチャートである。
【図６】親機と子機との通信状態を一致させる制御の実施の形態５を説明するための、親機と子機のそれぞれの流れを示すフローチャートである。
【図７】親機の状態変化と子機の状態変化のずれを示すタイミングチャートである。
【発明を実施するための形態】
【００３０】
以下、本発明の実施の形態について、図面を参照して説明する。
【００３１】
ここでは、本発明の通信システムをコードレス電話装置に適用した場合について説明する。
【００３２】
図１は、本発明に係るコードレス電話システムの全体構成図を示す機能ブロック図である。
【００３３】
このコードレス電話装置１は、外部の電話網（外線）と接続された親機１０と、親機１０と無線で通話可能な１又は複数の子機３０とを備えている。ただし、図示の例では、子機３０を１台としている。
【００３４】
親機１０は、制御部１１、記憶部１２、回線Ｉ／Ｆ（インターフェース）部１３、着信検出部１４、ＤＴＭＦ（Dual Tone Multi Frequency）信号検出部１５、ＤＴＭＦ信号生成部１６、モデム部１７、クロスポイントスイッチ部１８、ハンドセット１９、無線通信部２１、表示部２２、操作部２３、およびスピーカ２４を備えている。
【００３５】
制御部１１は、親機１０内の各種構成要素を統括的に制御するものである。制御部１１の機能は、例えばＲＡＭ（Random Access Memory）やフラッシュメモリなどの記憶部１２に記憶されたプログラムをＣＰＵ（Central Processing Unit）が実行することによって実現される。なお、制御部１１による制御の詳細は後述する。
【００３６】
記憶部１２は、各種データおよびプログラムを記憶するものである。記憶部１２の例としては、制御部１１が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、留守番電話の録音データなどを記憶する書換え可能な不揮発性メモリ（例えばフラッシュメモリ）とが挙げられる。
【００３７】
回線Ｉ／Ｆ部１３は、外線と親機１０とのインターフェースとして機能するものである。すなわち、回線Ｉ／Ｆ部１３は、外線からの信号を、親機１０での処理に適した形式に変換して、親機１０内の各部に送信すると共に、親機１０の各部からの信号を、外線での送信に適した形式に変換して、外線に送信するものである。なお、外部の電話回線の例としては、公衆交換回線網、専用回線などが挙げられる。
【００３８】
着信検出部１４は、外線から回線Ｉ／Ｆ部１３を介して受信した通信信号のうち、着信を示す信号である着信信号を検出するものである。着信検出部１４は、着信信号を検出した場合、その旨を制御部１１に通知する。
【００３９】
ＤＴＭＦ信号検出部１５は、外線から回線Ｉ／Ｆ部１３を介して受信した通信信号のうち、ＤＴＭＦ信号を検出するものである。ＤＴＭＦ信号は、０〜９の数字と、＊・＃・Ａ・Ｂ・Ｃ・Ｄの記号とを含む１６種類の文字を、低域および高域の音声周波数帯域の信号音に変換したものである。ＤＴＭＦ信号は、プッシュ式回線での電話番号入力など、音声回線での数字入力などで用いられる。ＤＴＭＦ信号検出部１５は、検出したＤＴＭＦ信号を元の文字に復号化して制御部１１に送信する。
【００４０】
ＤＴＭＦ信号生成部１６は、制御部１１から受信した記号に基づいてＤＴＭＦ信号を生成するものである。ＤＴＭＦ信号生成部１６は、生成したＤＴＭＦ信号を、回線Ｉ／Ｆ部１３を介して外線に送信する。
【００４１】
モデム部１７は、制御部１１から受信したデジタルデータをアナログ信号に変調して回線Ｉ／Ｆ部１３に送信すると共に、回線Ｉ／Ｆ部１３から受信したアナログ信号をデジタルデータに復調して制御部１１に送信するものである。
【００４２】
クロスポイントスイッチ部１８は、制御部１１からの指示に基づき、回線Ｉ／Ｆ部１３、ハンドセット１９、および無線通信部２１の何れか１つから受信した音声信号を、様々な出力先に送信するように切り換えるものである。
【００４３】
ハンドセット１９は、親機１０にて通話を行うためのものであり、マイクなどの音声入力デバイスと、イヤホンなどの音声出力デバイスとを備えるものである。音声入力デバイスを介して入力された音声信号は、クロスポイントスイッチ部１８に送信される一方、クロスポイントスイッチ部１８から受信した音声信号は、音声出力デバイスを介して出力される。
【００４４】
無線通信部２１は、子機３０との間で無線通信を行うためのものである。すなわち、無線通信部２１は、制御部１１およびクロスポイントスイッチ部１８から受信した信号を無線送信に適した形式に変換し、変換した無線信号を、アンテナを介して子機３０に送信すると共に、子機３０からアンテナを介して受信した無線信号を元の形式に変換し、変換したデータを制御部１１およびクロスポイントスイッチ部１８に送信するものである。具体的には、無線通信部２１では、データの変復調処理が行われる。
【００４５】
表示部２２は、制御部１１から画像データを受信し、受信した画像データに基づいて表示画面に画像を表示するものである。具体的には、表示部２２は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備えている。
【００４６】
操作部２３は、親機１０の表面に設けられたダイヤルキーなどの入力デバイスをユーザが操作することにより、操作データを作成して制御部１１に送信するものである。入力デバイスとしては、ボタンスイッチの他にタッチパネルなどが挙げられる。
【００４７】
スピーカ２４は、制御部１１からの電気信号を音波に変換して、各種の情報を外部に音声出力するものである。特に、スピーカ２４は、外線呼出し、内線呼出しなどの報知を行うものである。
【００４８】
子機３０は、制御部３１、記憶部３２、無線通信部３３、イヤピース３４、マイク３５、操作部３６、表示部３７、充電制御部３８、タイマー回路部３９、およびスピーカ４０を備えている。
【００４９】
制御部３１は、親機１０との間で相互通信を行って、子機３０内の各種構成要素を統括的に制御するものである。制御部３１の機能は、例えばＲＡＭ（Random Access Memory）やフラッシュメモリなどの記憶部３２に記憶されたプログラムをＣＰＵ（Central Processing Unit）が実行することによって実現される。なお、制御部３１による制御の詳細は後述する。
【００５０】
記憶部３２は、各種データおよびプログラムを記憶するものである。記憶部３２の例としては、制御部３１が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データを記憶する書換え可能な不揮発性メモリ（例えばフラッシュメモリ）とが挙げられる。
【００５１】
無線通信部３３は、親機１０との間で無線通信を行うためのものである。すなわち、無線通信部３３は、制御部３１から受信した信号を無線送信に適した形式に変換し、変換した無線信号を、アンテナを介して親機１０に送信すると共に、親機１０からアンテナを介して受信した無線信号を元の形式に変換し、変換したデータを制御部３１に送信するものである。具体的には、無線通信部３３では、データの変復調処理が行われる。
【００５２】
スピーカ３４は、例えば音を出力するためのイヤピースであり、マイク３５は、例えば音を入力するためのマイクロフォンである。
【００５３】
操作部３６は、子機３０の表面に設けられたダイヤルキーなどの入力デバイスをユーザが操作することにより、操作データを作成して制御部３１に送信するものである。入力デバイスとしては、ボタンスイッチの他にタッチパネルなどが挙げられる。なお、電源ボタンは、オンフック／オフフックボタンを兼ねている。
【００５４】
表示部３７は、制御部３１から画像データを受信し、受信した画像データに基づいて表示画面に画像を表示するものである。具体的には、表示部３７は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備えている。
【００５５】
充電制御部３８は、充電検知部３８ａと内蔵電池３８ｂとを備えており、内蔵電池３８ｂの充電制御を行っている。充電検知部３８ａは、充電端子３８１の電圧を監視している。ただし、最近では充電端子を必要とせずに無接点で充電制御できる機能を搭載したものも提供されている。そして、図示しない充電器（クレードル）に子機１を置く等してオンフックされ、充電端子３８１に充電器から充電電圧が印加されると、内蔵電池３８ｂの充電を開始する。また、充電検知部３８ａは、上記電源ボタンとは別に、子機３０のオンフック、オフフックを検出するフック検出部としての機能も備えている。
【００５６】
タイマー回路部３９は、オフフック後の操作部３６が操作されない時間を計測する無操作タイマーであり、オフフック後の一定時間（例えば、３０秒等）を計測する。
【００５７】
スピーカ４０は、制御部３１からの電気信号を音波に変換して、各種の情報を外部に音声出力するものである。特に、スピーカ４０は、外線呼出し、内線呼出しなどの報知を行うものである。
【００５８】
以上が、本発明に係るコードレス電話装置１の全体構成の説明である。
【００５９】
上記構成のコードレス電話装置１において、着信状態かスタンバイ状態かの判断は子機３０よりも回線制御を実施している親機１０の方が正確に把握している。従って、親機１０と子機３０とで状態に差が生じたときは、親機１０から子機３０に対し正しい状態を通知することで子機３０の状態を補正することが可能である。
【００６０】
そこで、本発明では、自動的にスタンバイ状態から通話モードに移行するとき、状態を正しく把握している親機１０から子機３０に対して、所定時間以内のキー操作を監視する無操作タイマーを起動するか否かを指示することで、子機３０の状態を親機１０の状態に一致させるように制御する構成としている。以下、子機３０がオフフックされたとき、親機１０と子機３０との通信状態が異なる場合に、親機１０からの通知により子機３０の通信状態を親機１０の通信状態に一致させる制御の実施の形態について具体的に説明する。
【００６１】
（実施の形態１）
実施の形態１は、親機から子機に現在の状態を通知する構成とした実施の形態である。以下、図２に示す親機と子機のそれぞれの流れを示すフローチャートを参照して、子機の通信状態を親機の通信状態に一致させる制御について説明する。
【００６２】
子機３０は、オンフックされているスタンバイ状態において、自機が充電器から持ち上げられたか否か（オフフックされたか否か）を常に監視している（ステップＳ１１）。そして、自機が充電器から持ち上げられてオフフックされると（ステップＳ１１でＹｅｓと判断されると）、次に、親機１０に対して、回線を捕捉して良いかどうか、すなわち通話モードに移行可能かどうかを問い合わせる（ステップＳ１２）。これは、複数の子機が親機と無線接続されている場合において、他の子機もしくは親機が先に回線を捕捉している場合があるからである。
【００６３】
一方、親機１０では、この問い合わせ（通話開始要求）に対し、回線捕捉可能であるか否か（すなわち、通話モードに移行可能であるか否か）を確認し（ステップＳ２１）、回線捕捉可能であれば、通話開始ＯＫを送信し、回線捕捉不可であれば、通話開始ＮＯを送信する。さらに、親機１０では、自機の現在の状態を子機３０に送信する。なお、フロー図では、通話開始ＯＫ／ＮＯの通知と状態の通知とを個別に行う構成として図示しているが、これらの通知は一度に行うことが可能である。
【００６４】
子機３０では、まず、通話開始がＯＫかＮＯかを判断し（ステップＳ１３）、通話開始ＮＯの通知を受けた場合（ステップＳ１３でＮｏと判断された場合）には、オフフック状態であっても、スタンバイ状態を維持して（ステップＳ１４）、処理を終了する。
【００６５】
一方、親機１０から通話開始ＯＫの通知を受けた場合（ステップＳ１３でＹｅｓと判断された場合）には、その時点で回線を捕捉して通話モードに移行する（ステップＳ１５）。次に、親機１０からの状態通知を受けて、親機１０の状態が着信中状態であるか否かを判断する（ステップＳ１６）。
【００６６】
その結果、親機１０の状態が着信中状態である場合（ステップＳ１６でＹｅｓと判断された場合）には、通話モードを継続する。
【００６７】
一方、親機がスタンバイ状態であった場合（ステップＳ１６でＮｏと判断された場合）には、子機３０はタイマー回路部３９を起動して一定時間の計測を開始する（ステップＳ１７）。
【００６８】
そして、一定時間の計測中に操作部３６が操作されたか否か（ステップＳ１８）、及び、無操作タイマーがタイムアップしたか否か（ステップＳ１９）、を監視する。
【００６９】
その結果、一定時間の計測中に操作部３６が操作された場合（ステップＳ１８でＹｅｓと判断された場合）には、子機３０からの発信操作等であると判断して、通話モードに移行する（ステップＳ１６）。
【００７０】
一方、操作部３６が操作されることなくタイムアップした場合（ステップＳ１９でＹｅｓと判断された場合）には、子機３０が不測の事態によって充電器から外れたと判断して、スタンバイ状態に移行する（ステップＳ１４）。
【００７１】
実施の形態１によれば、親機１０と子機３０とで状態に差が生じた場合に、親機１０の通信状態を子機３０に送信することで、子機３０は、親機１０からの通信状態に合わせて子機３０の通信状態を規定することができる。すなわち、親機１０の通信状態が着信状態である場合には子機３０も通話モードを維持し、親機１０の通信状態がスタンバイ状態である場合には、無操作タイマーを起動して、子機３０も一定時間後にスタンバイ状態に移行することができる。
【００７２】
（実施の形態２）
実施の形態２は、親機１０から無操作タイマーの開始指示情報を子機３０に送る構成とした実施の形態である。以下、図３に示す親機と子機のそれぞれの流れを示すフローチャートを参照して、子機の通信状態を親機の通信状態に一致させる制御について説明する。
【００７３】
子機３０は、オンフックされているスタンバイ状態において、自機が充電器から持ち上げられたか否か（オフフックされたか否か）を常に監視している（ステップＳ３１）。そして、自機が充電器から持ち上げられてオフフックされると（ステップＳ３１でＹｅｓと判断されると）、次に、親機１０に対して、回線を捕捉して良いかどうか、すなわち通話モードに移行可能かどうかを問い合わせる（ステップＳ３２）。これは、複数の子機が親機と無線接続されている場合において、他の子機もしくは親機が先に回線を捕捉している場合があるからである。
【００７４】
一方、親機１０では、この問い合わせ（通話開始要求）に対し、回線捕捉可能であるか否か（すなわち、通話モードに移行可能であるか否か）を確認し（ステップＳ４１）、回線捕捉可能であれば、通話開始ＯＫを送信し、回線捕捉不可であれば、通話開始ＮＯを送信する。次に、親機１０では、自機の現在の状態が着信中であるか否かを判断し（ステップＳ４２）、着信中でない場合（すなわち、スタンバイ状態である場合）には、子機３０に対して何もせずに処理を終了する。一方、自機の現在の状態が着信中である場合（ステップＳ４２でＹｅｓと判断された場合）には、無操作タイマーの開始指示を子機３０に送信する（ステップＳ４３）。
【００７５】
子機３０では、まず、通話開始がＯＫかＮＯかを判断し（ステップＳ３３）、通話開始ＮＯの通知を受けた場合（ステップＳ３３でＮｏと判断された場合）には、オフフック状態であっても、スタンバイ状態を維持して（ステップＳ３４）、処理を終了する。
【００７６】
一方、親機１０から通話開始ＯＫの通知を受けた場合（ステップＳ３３でＹｅｓと判断された場合）には、直ちに通話モードへ移行する（ステップＳ３５）。
【００７７】
次に、子機３０は、親機１０から無操作タイマーの開始指示が送信されてきたか否かを監視する（ステップＳ３６）。そして、親機１０から無操作タイマーの開始指示が送信されてこない場合（ステップＳ３６でＮｏと判断された場合）には、現状の通話モードを維持する。
【００７８】
一方、親機１０から無操作タイマーの開始指示が送信されてきた場合（ステップＳ３６でＹｅｓと判断された場合）には、タイマー回路部３９を起動して無操作タイマーによる一定時間の計測を開始する（ステップＳ３７）。そして、一定時間の計測中に操作部３６が操作されたか否か（ステップＳ３８）、及び、無操作タイマーがタイムアップしたか否か（ステップＳ３９）、を監視する。
【００７９】
その結果、一定時間の計測中に操作部３６が操作された場合（ステップＳ３８でＹｅｓと判断された場合）には、子機３０からの発信操作等であると判断して、現在の通話モードを維持する。
【００８０】
一方、操作部３６が操作されることなくタイムアップした場合（ステップＳ３９でＹｅｓと判断された場合）には、子機３０が不測の事態によって充電器から外れたと判断して、スタンバイ状態に移行する（ステップＳ３４）。
【００８１】
実施の形態２によれば、親機１０が回線を切断したスタンバイ状態で、子機３０が通話モードのとき（図７のタイムラグｔｂ）に、子機３０がオフフック状態になった場合には、子機３０の無操作タイマーを起動する構成となっている。従って、この場合には、無操作タイマーによる一定時間の計測後に回線を切断することができる。
【００８２】
（実施の形態３）
実施の形態３は、子機３０のタイマー起動中に親機１０の情報が更新されたらタイマーを停止する構成とした実施の形態である。以下、図４に示す親機と子機のそれぞれの流れを示すフローチャートを参照して、子機の通信状態を親機の通信状態に一致させる制御について説明する。
【００８３】
子機３０は、オンフックされているスタンバイ状態において、自機が充電器から持ち上げられたか否か（オフフックされたか否か）を常に監視している（ステップＳ５１）。そして、自機が充電器から持ち上げられてオフフックされると（ステップＳ５１でＹｅｓと判断されると）、その時点で無操作タイマーであるタイマー回路部３９を起動する（ステップＳ５２）。そして後、親機１０に対して、回線を捕捉して良いかどうか、すなわち通話モードに移行可能かどうかを問い合わせる（ステップＳ５３）。これは、複数の子機が親機と無線接続されている場合において、他の子機もしくは親機が先に回線を捕捉している場合があるからである。
【００８４】
一方、親機１０では、この問い合わせ（通話開始要求）に対し、回線捕捉可能であるか否か（すなわち、通話モードに移行可能であるか否か）を確認し（ステップＳ６１）、回線捕捉可能であれば、通話開始ＯＫを送信し、回線捕捉不可であれば、通話開始ＮＯを送信する。次に、親機１０では、自機の現在の状態が着信中であるか否かを判断し（ステップＳ６２）、着信中でない場合（すなわち、スタンバイ状態である場合）には、子機３０に対して何もせずに処理を終了する。一方、自機の現在の状態が着信中である場合（ステップＳ６２でＹｅｓと判断された場合）には、無操作タイマーの停止指示を子機３０に送信する（ステップＳ６３）。
【００８５】
一方、子機３０では、まず、通話開始がＯＫかＮＯかを判断し（ステップＳ５４）、通話開始ＮＯの通知を受けた場合（ステップＳ５４でＮｏと判断された場合）には、オフフック状態であっても、スタンバイ状態を維持して（ステップＳ５５）、処理を終了する。
【００８６】
一方、親機１０から通話開始ＯＫの通知を受けた場合（ステップＳ５４でＹｅｓと判断された場合）には、直ちに通話モードへ移行する（ステップＳ５６）。
【００８７】
次に、子機３０は、親機１０から無操作タイマーの停止指示が送信されてきたか否かを監視する（ステップＳ５７）。そして、親機１０から無操作タイマーの停止指示が送信されてきた場合（ステップＳ５７でＹｅｓと判断された場合）には、無操作タイマーを停止する（ステップＳ５８）。すなわち、タイマー回路部３９による一定時間の計測を停止する。これにより、一定時間が経過しても回線が自動的に切断されることはなく、子機３０のユーザは引き続き会話等の通信を行うことができる。
【００８８】
実施の形態３によれば、親機１０が着信中（リング音鳴動中）で、子機３０が着信状態になっていないスタンバイ状態のとき（図７のタイムラグｔａ）に、子機３０がオフフック状態になった場合には、子機３０の無操作タイマーの起動を止めることができる。すなわち、この場合には、回線は切断されず、通話モードを維持することができる。
【００８９】
（実施の形態４）
実施の形態４は、子機から現在の通信状態を送り、親機は、自機の通信状態と子機の通信状態とが不一致であれば、親機の通信状態を子機に通知する構成とした実施の形態である。以下、図５に示す親機と子機のそれぞれの流れを示すフローチャートを参照して、子機の通信状態を親機の通信状態に一致させる制御について説明する。
【００９０】
子機３０は、オンフックされているスタンバイ状態において、自機が充電器から持ち上げられたか否か（オフフックされたか否か）を常に監視している（ステップＳ７１）。そして、自機が充電器から持ち上げられてオフフックされると（ステップＳ７１でＹｅｓと判断されると）、次に、自機の現状の通信状態と、回線を捕捉して良いかどうか、すなわち通話モードに移行可能かどうかの問い合わせとを、親機１０に対して送信する（ステップＳ７２）。通話モードに移行可能かどうかの問い合わせは、複数の子機が親機と無線接続されている場合において、他の子機もしくは親機が先に回線を捕捉している場合があるからである。
【００９１】
一方、親機１０では、子機からの問い合わせに対し、回線捕捉可能であるか否か（すなわち、通話モードに移行可能であるか否か）を確認し（ステップＳ８１）、回線捕捉可能であれば、通話開始ＯＫを送信し、回線捕捉不可であれば、通話開始ＮＯを送信する。
【００９２】
次に、親機１０は、現在の自機の通信状態と、送信されてきた子機の通信状態とが一致するか否かを判断する（ステップＳ８２）。その結果、通信状態が一致する場合には、何もせずに処理を終了する。一方、通信状態が一致しない場合（例えば、図７に示すタイムラグｔａ中に子機がオフフックされた場合には、自機が着信状態、子機がスタンバイ状態となっている）には、ステップＳ８２でＮｏと判断されるので、親機１０は、現在の自機の通信状態を子機３０に通知する。
【００９３】
一方、子機３０では、まず、通話開始がＯＫかＮＯかを判断し（ステップＳ７３）、通話開始ＮＯの通知を受けた場合（ステップＳ７３でＮｏと判断された場合）には、オフフック状態であっても、スタンバイ状態を維持して（ステップＳ７４）、処理を終了する。
【００９４】
一方、親機１０から通話開始ＯＫの通知を受けた場合（ステップＳ７３でＹｅｓと判断された場合）には、その時点で回線を捕捉して通話モードに移行する（ステップＳ７５）。次に、親機１０からの状態通知を受けて、親機１０の通信状態が着信状態であるか否かを判断する（ステップＳ７６）。
【００９５】
その結果、親機１０の通信状態が着信状態である場合（ステップＳ７６でＹｅｓと判断された場合）には、通話モードを継続する。
【００９６】
一方、親機がスタンバイ状態であった場合（ステップＳ７６でＮｏと判断された場合）には、子機３０はタイマー回路部３９を起動して無操作タイマーによる一定時間の計測を開始する（ステップＳ７７）。
【００９７】
そして、一定時間の計測中に操作部３６が操作されたか否か（ステップＳ７８）、及び、無操作タイマーがタイムアップしたか否か（ステップＳ７９）、を監視する。
【００９８】
その結果、一定時間の計測中に操作部３６が操作された場合（ステップＳ７８でＹｅｓと判断された場合）には、子機３０からの発信操作等であると判断して、通話モードに移行する（ステップＳ７６）。
【００９９】
一方、操作部３６が操作されることなくタイムアップした場合（ステップＳ７９でＹｅｓと判断された場合）には、子機３０が不測の事態によって充電器から外れたと判断して、スタンバイ状態に移行する（ステップＳ７４）。
【０１００】
実施の形態４によれば、親機１０の通信状態と子機３０の通信状態とを比較し、親機１０と子機３０とで状態に差が生じている場合（図７のタイムラグｔａ，ｔｂの場合）には、親機１０の通信状態を子機３０に送信することで、子機３０は、この情報を自機の通信状態を規定する命令として受け止め、親機１０の通信状態に合わせて子機３０の通信状態を規定する。従って親機１０の通信状態が着信状態である場合には子機３０も通話モードを維持し、親機１０の通信状態がスタンバイ状態である場合には、無操作タイマーを起動して、子機３０も一定時間後にスタンバイ状態に移行することができる。
【０１０１】
（実施の形態５）
実施の形態５は、子機３０のタイマーアップ時に親機１０の通信状態を再確認する構成とした実施の形態である。以下、図６に示す親機と子機のそれぞれの流れを示すフローチャートを参照して、子機の通信状態を親機の通信状態に一致させる制御について説明する。
【０１０２】
子機３０は、オンフックされているスタンバイ状態において、自機が充電器から持ち上げられたか否か（オフフックされたか否か）を常に監視している（ステップＳ１０１）。そして、自機が充電器から持ち上げられてオフフックされると（ステップＳ１０１でＹｅｓと判断されると）、その時点で無操作タイマーであるタイマー回路部３９を起動する（ステップＳ１０２）。そして後、親機１０に対して、回線を捕捉して良いかどうか、すなわち通話モードに移行可能かどうかを問い合わせる（ステップＳ１０３）。これは、複数の子機が親機と無線接続されている場合において、他の子機もしくは親機が先に回線を捕捉している場合があるからである。
【０１０３】
一方、親機１０では、この問い合わせ（通話開始要求）に対し、その時点での自機の状態を保存し（ステップＳ２０１）、次に、回線捕捉可能であるか否か（すなわち、通話モードに移行可能であるか否か）を確認する（ステップＳ２０２）。その結果、回線捕捉可能であれば、通話開始ＯＫを子機３０に送信し、回線捕捉不可であれば、通話開始ＮＯを子機３０に送信する。
【０１０４】
一方、子機３０では、まず、通話開始がＯＫかＮＯかを判断し（ステップＳ１０４）、通話開始ＮＯの通知を受けた場合（ステップＳ１０４でＮｏと判断された場合）には、オフフック状態であっても、スタンバイ状態を維持して（ステップＳ１１０）、処理を終了する。
【０１０５】
一方、親機１０から通話開始ＯＫの通知を受けた場合（ステップＳ１０４でＹｅｓと判断された場合）には、直ちに通話モードへ移行する（ステップＳ１０５）。そして、一定時間の計測中に操作部３６が操作されたか否か（ステップＳ１０６）、及び、無操作タイマーがタイムアップしたか否か（ステップＳ１０７）、を監視する。
【０１０６】
その結果、一定時間の計測中に操作部３６が操作された場合（ステップＳ１０６でＹｅｓと判断された場合）には、子機３０からの発信操作等であると判断して、現在の通話モードを維持する（ステップＳ１０９）。
【０１０７】
一方、操作部３６が操作されることなくタイムアップした場合（ステップＳ１０７でＹｅｓと判断された場合）には、子機３０は、親機１０に対して、通話開始要求前の親機の状態を問い合わせる。
【０１０８】
この問い合わせを受けた親機１０は、ステップＳ２０１で保存した自機の通話開始要求の状態を子機３０に送信する（ステップＳ２０３）。
【０１０９】
子機３０は、送信されてきた親機の状態に基づき、通話開始要求前の親機の状態が着信中であったか否かを確認する（ステップＳ１０８）。その結果、通話開始要求前の親機の状態が着信中であった場合（ステップＳ１０８でＹｅｓと判断された場合）には、図７に示すタイムラグｔａ中に子機３０がオフフックされたと判断できるので、そのまま通話モードを維持する（ステップＳ１０９）。これにより、一定時間が経過しても回線が自動的に切断されることはなく、子機３０のユーザは引き続き会話を行うことができる。
【０１１０】
一方、通話開始要求前の親機の状態が着信中でなかった場合（ステップＳ１０８でＮｏと判断された場合）には、スタンバイ状態に移行して（ステップＳ１１０）、処理を終了する。
【０１１１】
実施の形態５によれば、子機３０では、無操作タイマーのタイムアップ時に親機１０に対してその時点での通信状態を要求し、親機１０から送信されてきた通信状態に基づいて自機の通信状態を規定できる。従って、親機１０の状態が着信状態である場合には、無操作タイマーのタイムアップであっても子機３０は通話モードを維持することができ、親機１０の状態がスタンバイ状態である場合には、無操作タイマーがタイムアップしているので、直ぐにスタンバイ状態に移行することができる。
【０１１２】
なお、今回開示した実施の形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【産業上の利用可能性】
【０１１３】
本発明の通信システムは、外部回線と通信可能な親機と、親機と無線通信可能な子機とを備えた通信システムに係り、特に、子機が充電器から持ち上げられると通話モードとなるいわゆるクイック通話機能を備えたコードレス電話装置全般に寄与するところは大きい。
【符号の説明】
【０１１４】
１  コードレス電話装置（通信システム）
１０  親機
１１  制御部
１２  記憶部
１３  回線Ｉ／Ｆ（インターフェース）部
１４  着信検出部
１５  ＤＴＭＦ（Dual Tone Multi Frequency）信号検出部
１６  ＤＴＭＦ信号生成部
１７  モデム部
１８  クロスポイントスイッチ部
１９  ハンドセット
２１  無線通信部
２２  表示部
２３  操作部
２４  スピーカ
３０  子機
３１  制御部
３２  記憶部
３３  無線通信部
３４  イヤピース
３５  マイク
３６  操作部
３７  表示部
３８  充電制御部
３９  タイマー回路部
４０  スピーカ
【図１】
2015122570.tif 000003
【図２】
2015122570.tif 000004
【図３】
2015122570.tif 000005
【図４】
2015122570.tif 000006
【図５】
2015122570.tif 000007
【図６】
2015122570.tif 000008
【図７】
2015122570.tif 000009